【手続補正書】
【提出日】平成23年2月10日(2011.2.10)
【手続補正１】
【補正対象書類名】特許請求の範囲
【補正対象項目名】全文
【補正方法】変更
【補正の内容】
【特許請求の範囲】
【請求項１】
ネットワークを介してソフトウェア機能を提供するＷｅｂＡＰＩプログラムを格納するＷｅｂＡＰＩプログラム提供装置と、前記ＷｅｂＡＰＩプログラムを利用するＷｅｂＡＰＩ利用プログラムを格納するＷｅｂＡＰＩプログラム利用装置と、前記ＷｅｂＡＰＩプログラムの呼び出しを制御するＷｅｂＡＰＩ呼び出し制御プログラムを格納するＷｅｂＡＰＩ呼び出し制御装置と、を備えるシステムにおける情報提供方法であって、
前記ＷｅｂＡＰＩプログラム利用装置は、前記ＷｅｂＡＰＩ利用プログラムを実行して前記ＷｅｂＡＰＩプログラム提供装置の前記ＷｅｂＡＰＩプログラムを呼び出すときに、前記ＷｅｂＡＰＩ呼び出し制御装置が発行するキー情報を取得し、
前記ＷｅｂＡＰＩプログラム利用装置は、前記キー情報を前記ＷｅｂＡＰＩプログラム提供装置へ送信し、
前記ＷｅｂＡＰＩプログラム提供装置は、前記ＷｅｂＡＰＩプログラム利用装置から受信したキー情報を前記ＷｅｂＡＰＩ呼び出し制御装置へ送信し、
前記ＷｅｂＡＰＩ呼び出し制御装置は、前記キー情報が正しい場合のみ、前記ＷｅｂＡＰＩプログラム提供装置が前記ＷｅｂＡＰＩプログラムの実行結果を前記ＷｅｂＡＰＩプログラム利用装置へ返すように前記ＷｅｂＡＰＩ呼び出し制御を行うことを特徴とする情報提供方法。
【請求項２】
請求項１に記載された情報提供方法において、
前記ＷｅｂＡＰＩプログラム利用装置は、前記ＷｅｂＡＰＩプログラム提供装置から前記ＷｅｂＡＰＩプログラムを呼び出すたびに、前記ＷｅｂＡＰＩ呼び出し制御装置が発行するセッションＩＤを取得し、該セッションＩＤを前記キー情報として前記ＷｅｂＡＰＩプログラム提供装置に格納されたＷｅｂＡＰＩプログラムを呼び出すＷｅｂＡＰＩ呼び出し制御を行う情報提供方法。
【請求項３】
請求項１に記載された情報提供方法において、
前記ＷｅｂＡＰＩプログラム利用装置は事前に前記ＷｅｂＡＰＩ呼び出し制御装置から前記ＷｅｂＡＰＩプログラムを複数回呼び出し可能なキー情報を取得し、該キー情報を用いて前記ＷｅｂＡＰＩプログラム提供装置から前記ＷｅｂＡＰＩプログラムを呼び出すＷｅｂＡＰＩ呼び出し制御を行う情報提供方法。
【請求項４】
請求項１に記載された情報提供方法において、
前記ＷｅｂＡＰＩプログラム利用装置が前記ＷｅｂＡＰＩ呼び出し制御装置から受け取ったキー情報を前記ＷｅｂＡＰＩプログラム提供装置に送信し、前記ＷｅｂＡＰＩ呼び出し制御装置は受け取ったキー情報が、前記ＷｅｂＡＰＩプログラム呼び出し制御装置が発行した正しいものであるかどうかを検証し、検証した結果を前記ＷｅｂＡＰＩプログラム提供装置に送信するＷｅｂＡＰＩ呼び出し制御を行う情報提供方法。
【請求項５】
請求項１に記載された情報提供方法において、
前記ＷｅｂＡＰＩプログラム提供装置は、前記ＷｅｂＡＰＩプログラム利用装置が送信したキー情報、呼び出し元のＷｅｂＡＰＩ利用プログラム及び呼び出し先のＷｅｂＡＰＩプログラムが判断できる情報をログに書き出し、定期的に該ログを前記ＷｅｂＡＰＩ呼び出し制御装置に送信し、前記ＷｅｂＡＰＩ呼び出し制御装置は前記ログを解析して前記キー情報が正しいかどうかを検証するＷｅｂＡＰＩ呼び出し制御を行う情報提供方法。
【請求項６】
請求項１から請求項５のいずれか一項に記載された情報提供方法において、
前記ＷｅｂＡＰＩプログラムが一つ又は複数の前記ＷｅｂＡＰＩ利用プログラムにより利用されている場合に、前記ＷｅｂＡＰＩプログラム提供装置又は前記ＷｅｂＡＰＩプログラム利用装置が、前記ＷｅｂＡＰＩプログラムの呼び出し状況を前記ＷｅｂＡＰＩ呼び出し制御装置に送信することで前記ＷｅｂＡＰＩプログラムの使用量を計測する情報提供方法。
【請求項７】
請求項６に記載された情報提供方法において、
前記ＷｅｂＡＰＩ利用プログラム毎に一意に決めたキー情報を用いて前記ＷｅｂＡＰＩ利用装置が前記ＷｅｂＡＰＩプログラムを呼び出し、前記ＷｅｂＡＰＩプログラム利用装置は前記キー情報を前記ＷｅｂＡＰＩ呼び出し制御装置に送信することで該ＷｅｂＡＰＩ呼び出し制御装置が呼び出されたＷｅｂＡＰＩプログラムの使用量を計測する情報提供方法。
【請求項８】
請求項７に記載された情報提供方法において、
前記ＷｅｂＡＰＩ利用装置が利用したＷｅｂＡＰＩプログラムのログ及び前記ＷｅｂＡＰＩプログラム提供装置が呼び出されたＷｅｂＡＰＩ利用プログラムのログの少なくとも一方を残し、該ログを定期的に前記ＷｅｂＡＰＩ呼び出し制御装置に送信し、前記ＷｅｂＡＰＩ呼び出し制御装置では前記ログを解析することで呼び出されたＷｅｂＡＰＩプログラムを特定する情報提供方法。
【請求項９】
請求項８に記載された情報提供方法において、
前記ＷｅｂＡＰＩ利用プログラムのログと前記ＷｅｂＡＰＩプログラムのログの両方を前記ＷｅｂＡＰＩ呼び出し制御装置に送信し、両方のログを比較し、ＷｅｂＡＰＩ呼び出しに関する両者の不一致を検出し、不正なログを見つける情報提供方法。
【請求項１０】
請求項６に記載された情報提供方法において、
前記ＷｅｂＡＰＩ利用装置は前記ＷｅｂＡＰＩプログラムを呼び出す前に前記ＷｅｂＡＰＩ呼び出し制御装置が発行するセッションＩＤを取得し、前記ＷｅｂＡＰＩ呼び出し制御装置は、前記セッションＩＤを発行したＷｅｂＡＰＩ利用プログラムを記録し、前記ＷｅｂＡＰＩ呼び出し制御装置が前記セッションＩＤを用いて前記ＷｅｂＡＰＩプログラムを呼び出した後、前記ＷｅｂＡＰＩプログラム提供装置は前記セッションＩＤを前記ＷｅｂＡＰＩ呼び出し制御装置に送信することで、該ＷｅｂＡＰＩ呼び出し制御装置が呼び出し元であるＷｅｂＡＰＩ利用装置と呼び出し先であるＷｅｂＡＰＩプログラム提供装置を特定する情報提供方法。
【請求項１１】
請求項１から請求項１０のいずれか一項に記載された情報提供方法を利用して、ネットワークを介してＷｅｂページを提供するＷｅｂサイトを用いた広告提供方法であって、
前記Ｗｅｂサイトは一つ又は複数の前記ＷｅｂＡＰＩプログラムを用いたＷｅｂページであり、該Ｗｅｂページに広告仲介サービスが提供する広告が掲載されている場合に、該Ｗｅｂブラウザで前記Ｗｅｂページに掲載した広告が選択されたときに、前記Ｗｅｂページを構築するために前記Ｗｅｂサイトが利用したＷｅｂＡＰＩプログラムを特定し、前記ＷｅｂＡＰＩプログラムの提供者に支払う対価を決定する広告提供方法。
【請求項１２】
請求項１１に記載された広告提供方法において、
前記ネットワークで各々接続された、前記Ｗｅｂブラウザを稼動させるＷｅｂブラウザ処理装置と、前記Ｗｅｂサイトを稼動させるＷｅｂサイト処理装置と、前記ＷｅｂＡＰＩプログラムを稼動させるＷｅｂＡＰＩプログラム処理装置と、前記広告仲介サービスを稼動させる広告仲介サービス処理装置とを有し、
前記Ｗｅｂブラウザから前記Ｗｅｂページの要求を受けたＷｅｂサイト処理装置が、前記広告仲介サービス処理装置に前記Ｗｅｂサイトの運営者の紹介者識別情報を送信し、前記広告仲介サービス処理装置からセッションＩＤと広告識別情報を取得し、当該セッションＩＤを引数に含めてＷｅｂＡＰＩプログラムを呼び出し、
前記ＷｅｂＡＰＩ処理装置が、前記セッションＩＤと前記ＷｅｂＡＰＩプログラムの提供者の紹介者識別情報を前記広告仲介サービス処理装置に送信し、
前記広告仲介サービス処理装置は、前記セッションＩＤが正しいものであることを確認し、セッションＩＤとＷｅｂＡＰＩプログラムの提供者の紹介者識別情報を記録し、
前記広告仲介サービス処理装置で前記セッションＩＤが正しいことが判明した場合には、前記ＷｅｂＡＰＩプログラム処理装置は、前記ＷｅｂＡＰＩプログラムを実行して該処理結果を前記Ｗｅｂサイト処理装置に返し、
前記Ｗｅｂサイト処理装置では、前記処理結果及び前記広告仲介サービス処理装置が保持する広告情報のＵＲＬと前記セッションＩＤを用いて、前記広告情報のリソースを取得するためのＵＲＬにパラメータとして、前記セッションＩＤを含めたＷｅｂページを生成して前記Ｗｅｂブラウザ処理装置に返し、
前記Ｗｅｂブラウザ処理装置が前記広告情報のリソースを前記広告仲介サービス処理装置に要求すると、該広告仲介サービス処理装置では前記広告情報の要求があったことを前記セッションＩＤと関連付けて記録した後、前記広告情報のリソースを前記Ｗｅｂブラウザ処理装置に返し、
前記Ｗｅｂブラウザ処理装置では前記Ｗｅｂサイト処理装置が生成したＷｅｂページを表示する広告提供方法。
【請求項１３】
請求項１１に記載された広告提供方法において、
前記ネットワークで各々接続された、前記Ｗｅｂブラウザを稼動させるＷｅｂブラウザ処理装置と、前記Ｗｅｂサイトを稼動させる前記Ｗｅｂサイト処理装置と、前記ＷｅｂＡＰＩプログラムを稼動させるＷｅｂＡＰＩプログラム処理装置と、前記広告仲介サービスを稼動させる広告仲介サービス処理装置とを有し、
前記Ｗｅｂブラウザ処理装置から前記Ｗｅｂページの要求を受けた前記Ｗｅｂサイト処理装置が、前記Ｗｅｂブラウザ処理装置にセッションＩＤ要求プログラム、ＷｅｂＡＰＩプログラム呼び出しプログラム及びページ生成プログラムを含むページを前記Ｗｅｂブラウザ処理装置に返し、
前記Ｗｅｂブラウザ処理装置は、前記返されたページに含まれるＷｅｂＡＰＩプログラムを実行することにより、前記ＷｅｂＡＰＩプログラムの提供者の紹介者識別情報を前記広告仲介サービス処理装置に送信し、該広告仲介サービス処理装置がリクエストを受けると、セッションＩＤを生成し、貢献者記録を実施して該セッションＩＤを前記Ｗｅｂブラウザ処理装置に返し、
前記Ｗｅｂブラウザ処理装置は、前記セッションＩＤと前記ＷｅｂＡＰＩプログラムの提供者の紹介者識別情報を前記広告仲介サービス処理装置に送信し、
前記広告仲介サービス処理装置は、前記セッションＩＤが正しいものであることを確認し、前記セッションＩＤと前記ＷｅｂＡＰＩプログラムの提供者の紹介者識別情報を記録し、
前記広告仲介サービス処理装置で前記セッションＩＤが正しいことを確認した場合には前記ＷｅｂＡＰＩプログラム処理装置は、前記ＷｅｂＡＰＩプログラムを実行して処理結果を前記Ｗｅｂブラウザ処理装置に送信し、
前記Ｗｅｂブラウザ処理装置は、前記Ｗｅｂページを生成し、前記広告情報のリソースを前記広告仲介サービス処理装置に要求すると、前記広告仲介サービス処理装置では前記広告情報の要求があったことを前記セッションＩＤと関連付けて記録した後、前記広告情報のリソースを前記Ｗｅｂブラウザ処理装置に返し、
前記該Ｗｅｂブラウザ処理装置では生成したＷｅｂページを表示する広告提供方法。
【請求項１４】
請求項１１に記載された広告提供方法において、
前記ネットワークで各々接続された、前記Ｗｅｂブラウザを稼動させるＷｅｂブラウザ処理装置と、前記Ｗｅｂサイトを稼動させるＷｅｂサイト処理装置と、前記ＷｅｂＡＰＩプログラムを稼動させるＷｅｂＡＰＩプログラム処理装置と、前記広告仲介サービスを稼動させる広告仲介サービス処理装置とを有し、
前記Ｗｅｂブラウザ処理装置から前記Ｗｅｂページの要求を受けた前記Ｗｅｂサイト処理装置が、前記広告仲介サービス処理装置に前記Ｗｅｂサイトの運営者の紹介者識別情報を送信し、
前記広告仲介サービス処理装置からセッションＩＤと広告識別情報を取得し、当該セッションＩＤを引数に含めてＷｅｂＡＰＩプログラムの呼び出しを前記広告仲介サービス処理装置に対して行い、
前記広告仲介サービス処理装置は、前記セッションＩＤが正しいものであることを確認し、前記セッションＩＤと前記ＷｅｂＡＰＩプログラムの提供者の紹介者識別情報を記録し、ＷｅｂＡＰＩプログラム呼び出しを実施し、
前記ＷｅｂＡＰＩ処理装置は、前記ＷｅｂＡＰＩプログラムを実行して該処理結果を前記広告仲介サービス処理装置に送信し、
前記広告仲介サービス処理装置は、前記処理結果を前記Ｗｅｂサイト処理装置へ送信し、
前記Ｗｅｂサイト処理装置では、前記処理結果及び前記広告仲介サービス処理装置が保持する広告情報のＵＲＬとセッションＩＤを用いて、前記広告情報のリソースを取得するためのＵＲＬにパラメータとして、前記セッションＩＤを含めたＷｅｂページを生成して前記Ｗｅｂブラウザ処理装置に返し、
前記Ｗｅｂブラウザ処理装置が前記広告情報のリソースを前記広告仲介サービス処理装置に要求すると、前記広告仲介サービス処理装置では前記広告情報の要求があったことを前記セッションＩＤと関連付けて記録した後、前記広告情報のリソースを前記Ｗｅｂブラウザ処理装置に返し、該Ｗｅｂブラウザ処理装置では前記Ｗｅｂサイトが生成したＷｅｂページを表示する広告提供方法。
【請求項１５】
請求項１１に記載された広告提供方法において、
前記ネットワークで各々接続された、前記Ｗｅｂブラウザを稼動させるＷｅｂブラウザ処理装置と、前記Ｗｅｂサイトを稼動させるＷｅｂサイト処理装置と、前記ＷｅｂＡＰＩプログラムを稼動させるＷｅｂＡＰＩプログラム処理装置と、前記広告仲介サービスを稼動させる広告仲介サービス処理装置とを有し、前記Ｗｅｂブラウザから前記Ｗｅｂページの要求を受けた前記Ｗｅｂサイト処理装置が、前記広告仲介サービス処理装置にＷｅｂＡＰＩプログラムの呼び出しを実施し、
前記広告仲介サービス処理装置は、セッションＩＤを生成し、前記ＷｅｂＡＰＩプログラムの提供者の紹介者識別情報を記録し、
呼び出し先のＷｅｂＡＰＩプログラムの紹介者識別情報を貢献者としてセッションＩＤと共に記録し、
当該セッションＩＤを引数に含めてＷｅｂＡＰＩプログラムの呼び出しを前記ＷｅｂＡＰＩ処理装置に対して行い、
当該呼び出しを受けた前記ＷｅｂＡＰＩプログラム処理装置は、前記ＷｅｂＡＰＩプログラムを実行して該処理結果を前記広告仲介サービス処理装置に送信し、
前記広告仲介サービス処理装置は、前記処理結果及び前記セッションＩＤを前記Ｗｅｂサイト処理装置へ送信し、
前記Ｗｅｂサイト処理装置では、前記処理結果及び前記広告仲介サービス処理装置が保持する広告情報のＵＲＬと前記セッションＩＤを用いて、前記広告情報のリソースを取得するためのＵＲＬにパラメータとして、前記セッションＩＤを含めたＷｅｂページを生成してＷｅｂブラウザ処理装置に返し、
前記Ｗｅｂブラウザ処理装置が前記広告情報のリソースを前記広告仲介サービス処理装置に要求すると、該広告仲介サービス処理装置では前記広告情報の要求があったことを前記セッションＩＤと関連付けて記録した後、前記広告情報のリソースを前記Ｗｅｂブラウザ処理装置に返し、該Ｗｅｂブラウザ処理装置では前記Ｗｅｂサイトが生成したＷｅｂページを表示する広告提供方法。
【請求項１６】
請求項１２から請求項１５のいずれか一項に記載された広告提供方法において、
前記上記生成されたＷｅｂブラウザに表示した広告を、閲覧者が選択したときに、前記広告仲介サービス処理装置には、前記広告識別情報と前記セッションＩＤが到達し、
前記広告仲介サービス処理装置では選択されたこととそのときの前記セッションＩＤを記録しておき、
前記広告仲介サービス処理装置では前記広告識別情報に関連する事業者のＷｅｂサイト処理装置にリダイレクトすることで広告に対応するＷｅｂページを表示する広告提供方法。
【請求項１７】
請求項１２から請求項１５のいずれか一項に記載された広告提供方法において、
前記広告仲介サービス処理装置に記録した広告情報の要求があったセッションＩＤを利用し、該セッションＩＤに関連付けた紹介者識別情報を抽出することで、広告を表示したＷｅｂページの生成に貢献したＷｅｂサイトの運営者及びＷｅｂＡＰＩプログラムの提供者を特定する広告提供方法。
【請求項１８】
請求項１２から請求項１５のいずれか一項に記載された広告提供方法において、
前記広告仲介サービス処理装置に記録した広告が選択されたときのセッションＩＤを利用し、前記セッションＩＤに関連付けた紹介者識別情報を抽出することで広告が選択されたＷｅｂページの生成に貢献したＷｅｂサイトの運営者及びＷｅｂＡＰＩプログラムの提供者を特定する広告提供方法。
【請求項１９】
請求項１２から請求項１５のいずれか一項に記載された広告提供方法において、
前記セッションＩＤに換え、Ｗｅｂサイトを一意に特定できるキーを用いて、Ｗｅｂサイト処理装置が利用したＷｅｂＡＰＩプログラムを特定し、前記Ｗｅｂサイト処理装置は、予めＷｅｂサイトを一意に識別できる前記キーを取得し、
前記ＷｅｂＡＰＩプログラムを呼び出すときは前記キーを一緒に送信し、前記ＷｅｂＡＰＩプログラム処理装置は前記キーを前記広告仲介サービス処理装置に送信し、該広告仲介サービス処理装置では前記キーと前記キーを送信したＷｅｂＡＰＩプログラム処理装置を関連付けて保持し、
前記Ｗｅｂサイト処理装置は、前記ＷｅｂＡＰＩプログラム処理装置の処理結果と広告を埋め込んだＷｅｂページを前記Ｗｅｂブラウザ処理装置に送信し、
前記Ｗｅｂブラウザ処理装置から埋め込んだ前記広告情報の画像等を取得するときに用いるＵＲＬには、前記広告情報の画像等を前記広告仲介サービス処理装置から取得するときに、前記広告仲介サービス処理装置に前記キーが送信されるように、パラメータとして前記キーを付加しておき、
前記広告がクリックされたときに遷移するＵＲＬにも、パラメータとして前記キーを付加しておき、
前記Ｗｅｂブラウザに広告を表示したときや閲覧者が前記広告をクリックしたときに、前記広告仲介サービス処理装置に前記キーが送られるようにしておくことで、前記広告の閲覧状況を把握可能とし、
その回数に応じてＷｅｂサイト毎の広告への貢献度、及び前記キーと前記ＷｅｂＡＰＩプログラムを関連付けて保持している情報に基づいてＷｅｂサイト毎に利用したＷｅｂＡＰＩプログラムとその回数を特定する広告提供方法。
【請求項２０】
請求項１２から請求項１５のいずれか一項に記載された広告提供方法において、
前記Ｗｅｂサイト処理装置、前記ＷｅｂＡＰＩプログラム処理装置の少なくともの一つが前記ＷｅｂＡＰＩプログラムの呼び出しログを前記セッションＩＤ又は前記キーと共に保持し、
前記ログを定期的に前記広告仲介サービス処理装置に送信し、
該広告仲介サービス処理装置では、前記ログを解析することで前記Ｗｅｂサイト処理装置が利用したＷｅｂＡＰＩプログラムを特定する広告提供方法。
【請求項２１】
請求項２０に記載された広告提供方法において、
前記広告仲介サービス処理装置は、前記Ｗｅｂサイト処理装置と前記ＷｅｂＡＰＩプログラム処理装置の両方から前記ログを収集し、前記両方のログの内容を比較し、両者に前記ＷｅｂＡＰＩプログラムを呼び出した記述、あるいは呼び出された記述があったときにその呼び出しが確かであると判断する広告提供方法。
【請求項２２】
請求項１２から請求項１５及び請求項２０のいずれか一項に記載された広告提供方法において、
前記Ｗｅｂブラウザに広告情報が表示されたとき、あるいは広告情報がクリックされたときに発生する対価を前記ＷｅｂＡＰＩプログラムの提供者に分配する際、前記広告仲介サービス処理装置に前記セッションＩＤと関連付けて記録された前記広告情報の要求に基づいて前記対価を決定する広告提供方法。
【請求項２３】
請求項１２から請求項１５、請求項１９及び請求項２０のいずれか一項に記載された広告提供方法において、
前記Ｗｅｂブラウザに広告情報が表示されたとき、あるいは広告情報がクリックされたときに発生する対価を特定期間毎に前記ＷｅｂＡＰＩプログラム提供者に分配する際、前記広告仲介サービス処理装置に前記セッションＩＤと関連付けて記録された前記広告情報の要求に基づいて、前記特定期間内に前記Ｗｅｂサイトに発生した対価の総量と、前記Ｗｅｂサイトが利用した一つ又は複数のＷｅｂＡＰＩプログラムの回数を求め、各ＷｅｂＡＰＩプログラムの利用回数に応じて前記対価の総量を前記ＷｅｂＡＰＩプログラム提供者に分配する前記対価を決定する広告提供方法。
【請求項２４】
請求項１１に記載された広告提供方法において、
利用しているＷｅｂＡＰＩプログラムの種類に応じて表示する広告情報を選択する際、前記広告仲介サービス処理装置は、前記ＷｅｂＡＰＩプログラムと当該ＷｅｂＡＰＩプログラムに関連する一つ又は複数のキーワードを管理し、前記広告情報とその広告情報に関連するキーワードを管理し、
前記広告仲介サービス処理装置が前記Ｗｅｂブラウザ処理装置から前記広告情報の要求を受け取ったときに、前記セッションＩＤを用いて利用したＷｅｂＡＰＩプログラムを特定し、又はＷｅｂサイトを特定するキーを用いて該Ｗｅｂサイトが良く利用しているＷｅｂＡＰＩプログラムを特定し、そのＷｅｂＡＰＩプログラムに関連する前記キーワードを取得し、そのキーワードを同じキーワードを含む広告情報を選択することで、利用しているＷｅｂＡＰＩプログラムの種類に応じた広告をＷｅｂブラウザに提供する広告提供方法。
【請求項２５】
請求項１１に記載された広告提供方法において、
特定期間に発生した前記Ｗｅｂブラウザからのリクエストに対するＷｅｂＡＰＩプログラムの使用量を計測し、その計測結果に従って、前記ＷｅｂＡＰＩプログラムに分配する広告貢献の対価を決定する広告提供方法。
【手続補正２】
【補正対象書類名】明細書
【補正対象項目名】００１３
【補正方法】変更
【補正の内容】
【００１３】
上記目的を達成するため、本発明の情報提供方法は、ネットワークを介してソフトウェア機能を提供するＷｅｂＡＰＩプログラムを格納するＷｅｂＡＰＩプログラム提供装置と、前記ＷｅｂＡＰＩプログラムを利用するＷｅｂＡＰＩ利用プログラムを格納するＷｅｂＡＰＩプログラム利用装置と、前記ＷｅｂＡＰＩプログラムの呼び出しを制御するＷｅｂＡＰＩ呼び出し制御プログラムを格納するＷｅｂＡＰＩ呼び出し制御装置と、を備えるシステムにおける情報提供方法であって、前記ＷｅｂＡＰＩプログラム利用装置は、前記ＷｅｂＡＰＩ利用プログラムを実行して前記ＷｅｂＡＰＩプログラム提供装置の前記ＷｅｂＡＰＩプログラムを呼び出すときに、前記ＷｅｂＡＰＩ呼び出し制御装置が発行するキー情報を取得し、前記ＷｅｂＡＰＩプログラム利用装置は、前記キー情報を前記ＷｅｂＡＰＩプログラム提供装置へ送信し、前記ＷｅｂＡＰＩプログラム提供装置は、前記ＷｅｂＡＰＩプログラム利用装置から受信したキー情報を前記ＷｅｂＡＰＩ呼び出し制御装置へ送信し、前記ＷｅｂＡＰＩ呼び出し制御装置は、前記キー情報が正しい場合のみ、前記ＷｅｂＡＰＩプログラム提供装置が前記ＷｅｂＡＰＩプログラムの実行結果を前記ＷｅｂＡＰＩプログラム利用装置へ返すように前記ＷｅｂＡＰＩ呼び出し制御を行うことを特徴とする。
【手続補正３】
【補正対象書類名】明細書
【補正対象項目名】００１４
【補正方法】変更
【補正の内容】
【００１４】
さらに、本発明の情報提供方法は、前記ＷｅｂＡＰＩプログラム利用装置が、前記ＷｅｂＡＰＩプログラム提供装置から前記ＷｅｂＡＰＩプログラムを呼び出すたびに、前記ＷｅｂＡＰＩ呼び出し制御装置が発行するセッションＩＤを取得し、該セッションＩＤを前記キー情報として前記ＷｅｂＡＰＩプログラム提供装置に格納されたＷｅｂＡＰＩプログラムを呼び出すＷｅｂＡＰＩ呼び出し制御を行う。
【手続補正４】
【補正対象書類名】明細書
【補正対象項目名】００１５
【補正方法】変更
【補正の内容】
【００１５】
さらに、本発明の情報提供方法は、前記ＷｅｂＡＰＩプログラム利用装置が事前に前記ＷｅｂＡＰＩ呼び出し制御装置から前記ＷｅｂＡＰＩプログラムを複数回呼び出し可能なキー情報を取得し、該キー情報を用いて前記ＷｅｂＡＰＩプログラム提供装置から前記ＷｅｂＡＰＩプログラムを呼び出すＷｅｂＡＰＩ呼び出し制御を行う。
【手続補正５】
【補正対象書類名】明細書
【補正対象項目名】００１６
【補正方法】変更
【補正の内容】
【００１６】
さらに、本発明の情報提供方法は、前記ＷｅｂＡＰＩプログラム利用装置が前記ＷｅｂＡＰＩ呼び出し制御装置から受け取ったキー情報を前記ＷｅｂＡＰＩプログラム提供装置に送信し、前記ＷｅｂＡＰＩ呼び出し制御装置は受け取ったキー情報が、前記ＷｅｂＡＰＩプログラム呼び出し制御装置が発行した正しいものであるかどうかを検証し、検証した結果を前記ＷｅｂＡＰＩプログラム提供装置に送信するＷｅｂＡＰＩ呼び出し制御を行う。
【手続補正６】
【補正対象書類名】明細書
【補正対象項目名】００１７
【補正方法】変更
【補正の内容】
【００１７】
さらに、本発明の情報提供方法は、前記ＷｅｂＡＰＩプログラム提供装置が、前記ＷｅｂＡＰＩプログラム利用装置が送信したキー情報、呼び出し元のＷｅｂＡＰＩ利用プログラム及び呼び出し先のＷｅｂＡＰＩプログラムが判断できる情報をログに書き出し、定期的に該ログを前記ＷｅｂＡＰＩ呼び出し制御装置に送信し、前記ＷｅｂＡＰＩ呼び出し制御装置は前記ログを解析して前記キー情報が正しいかどうかを検証するＷｅｂＡＰＩ呼び出し制御を行う。
【手続補正７】
【補正対象書類名】明細書
【補正対象項目名】００１８
【補正方法】変更
【補正の内容】
【００１８】
また、本発明の情報提供方法は、前記ＷｅｂＡＰＩプログラムが一つ又は複数の前記ＷｅｂＡＰＩ利用プログラムにより利用されている場合に、前記ＷｅｂＡＰＩプログラム提供装置又は前記ＷｅｂＡＰＩプログラム利用装置が、前記ＷｅｂＡＰＩプログラムの呼び出し状況を前記ＷｅｂＡＰＩ呼び出し制御装置に送信することで前記ＷｅｂＡＰＩプログラムの使用量を計測する。
【手続補正８】
【補正対象書類名】明細書
【補正対象項目名】００１９
【補正方法】変更
【補正の内容】
【００１９】
さらに、本発明の情報提供方法は、前記ＷｅｂＡＰＩ利用プログラム毎に一意に決めたキー情報を用いて前記ＷｅｂＡＰＩ利用装置が前記ＷｅｂＡＰＩプログラムを呼び出し、前記ＷｅｂＡＰＩプログラム利用装置は前記キー情報を前記ＷｅｂＡＰＩ呼び出し制御装置に送信することで該ＷｅｂＡＰＩ呼び出し制御装置が呼び出されたＷｅｂＡＰＩプログラムの使用量を計測する。
【手続補正９】
【補正対象書類名】明細書
【補正対象項目名】００２０
【補正方法】変更
【補正の内容】
【００２０】
さらに、本発明の情報提供方法は、前記ＷｅｂＡＰＩ利用装置が利用したＷｅｂＡＰＩプログラムのログ及び前記ＷｅｂＡＰＩプログラム提供装置が呼び出されたＷｅｂＡＰＩ利用プログラムのログの少なくとも一方を残し、該ログを定期的に前記ＷｅｂＡＰＩ呼び出し制御装置に送信し、前記ＷｅｂＡＰＩ呼び出し制御装置では前記ログを解析することで呼び出されたＷｅｂＡＰＩプログラムを特定する。
【手続補正１０】
【補正対象書類名】明細書
【補正対象項目名】００２１
【補正方法】変更
【補正の内容】
【００２１】
さらに、本発明の情報提供方法は、前記ＷｅｂＡＰＩ利用プログラムのログと前記ＷｅｂＡＰＩプログラムのログの両方を前記ＷｅｂＡＰＩ呼び出し制御装置に送信し、両方のログを比較し、ＷｅｂＡＰＩ呼び出しに関する両者の不一致を検出し、不正なログを見つける。
【手続補正１１】
【補正対象書類名】明細書
【補正対象項目名】００２２
【補正方法】変更
【補正の内容】
【００２２】
さらに、本発明の情報提供方法は、前記ＷｅｂＡＰＩ利用装置は前記ＷｅｂＡＰＩプログラムを呼び出す前に前記ＷｅｂＡＰＩ呼び出し制御装置が発行するセッションＩＤを取得し、前記ＷｅｂＡＰＩ呼び出し制御装置は、前記セッションＩＤを発行したＷｅｂＡＰＩ利用プログラムを記録し、前記ＷｅｂＡＰＩ呼び出し制御装置が前記セッションＩＤを用いて前記ＷｅｂＡＰＩプログラムを呼び出した後、前記ＷｅｂＡＰＩプログラム提供装置は前記セッションＩＤを前記ＷｅｂＡＰＩ呼び出し制御装置に送信することで、該ＷｅｂＡＰＩ呼び出し制御装置が呼び出し元であるＷｅｂＡＰＩ利用装置と呼び出し先であるＷｅｂＡＰＩプログラム提供装置を特定する。
【手続補正１２】
【補正対象書類名】明細書
【補正対象項目名】００２３
【補正方法】変更
【補正の内容】
【００２３】
また、本発明の広告提供方法は、上記の情報提供方法を利用して、ネットワークを介してＷｅｂページを提供するＷｅｂサイトを用いた広告提供方法であって、前記Ｗｅｂサイトは一つ又は複数の前記ＷｅｂＡＰＩプログラムを用いたＷｅｂページであり、該Ｗｅｂページに広告仲介サービスが提供する広告が掲載されている場合に、該Ｗｅｂブラウザで前記Ｗｅｂページに掲載した広告が選択されたときに、前記Ｗｅｂページを構築するために前記Ｗｅｂサイトが利用したＷｅｂＡＰＩプログラムを特定し、前記ＷｅｂＡＰＩプログラムの提供者に支払う対価を決定する。
【手続補正１３】
【補正対象書類名】明細書
【補正対象項目名】００２４
【補正方法】変更
【補正の内容】
【００２４】
さらに、本発明の広告提供方法は、ネットワークで各々接続された、前記Ｗｅｂブラウザを稼動させるＷｅｂブラウザ処理装置と、前記Ｗｅｂサイトを稼動させるＷｅｂサイト処理装置と、前記ＷｅｂＡＰＩプログラムを稼動させるＷｅｂＡＰＩプログラム処理装置と、前記広告仲介サービスを稼動させる広告仲介サービス処理装置とを有し、前記Ｗｅｂブラウザから前記Ｗｅｂページの要求を受けたＷｅｂサイト処理装置が、前記広告仲介サービス処理装置に前記Ｗｅｂサイトの運営者の紹介者識別情報を送信し、前記広告仲介サービス処理装置からセッションＩＤと広告識別情報を取得し、当該セッションＩＤを引数に含めてＷｅｂＡＰＩプログラムを呼び出し、前記ＷｅｂＡＰＩ処理装置が、前記セッションＩＤと前記ＷｅｂＡＰＩプログラムの提供者の紹介者識別情報を前記広告仲介サービス処理装置に送信し、前記広告仲介サービス処理装置は、前記セッションＩＤが正しいものであることを確認し、セッションＩＤとＷｅｂＡＰＩプログラムの提供者の紹介者識別情報を記録し、前記広告仲介サービス処理装置で前記セッションＩＤが正しいことが判明した場合には、前記ＷｅｂＡＰＩプログラム処理装置は、前記ＷｅｂＡＰＩプログラムを実行して該処理結果を前記Ｗｅｂサイト処理装置に返し、前記Ｗｅｂサイト処理装置では、前記処理結果及び前記広告仲介サービス処理装置が保持する広告情報のＵＲＬと前記セッションＩＤを用いて、前記広告情報のリソースを取得するためのＵＲＬにパラメータとして、前記セッションＩＤを含めたＷｅｂページを生成して前記Ｗｅｂブラウザ処理装置に返し、前記Ｗｅｂブラウザ処理装置が前記広告情報のリソースを前記広告仲介サービス処理装置に要求すると、該広告仲介サービス処理装置では前記広告情報の要求があったことを前記セッションＩＤと関連付けて記録した後、前記広告情報のリソースを前記Ｗｅｂブラウザ処理装置に返し、前記Ｗｅｂブラウザ処理装置では前記Ｗｅｂサイト処理装置が生成したＷｅｂページを表示する。
【手続補正１４】
【補正対象書類名】明細書
【補正対象項目名】００２５
【補正方法】変更
【補正の内容】
【００２５】
さらに、本発明の広告提供方法は、ネットワークで各々接続された、前記Ｗｅｂブラウザを稼動させるＷｅｂブラウザ処理装置と、前記Ｗｅｂサイトを稼動させる前記Ｗｅｂサイト処理装置と、前記ＷｅｂＡＰＩプログラムを稼動させるＷｅｂＡＰＩプログラム処理装置と、前記広告仲介サービスを稼動させる広告仲介サービス処理装置とを有し、前記Ｗｅｂブラウザ処理装置から前記Ｗｅｂページの要求を受けた前記Ｗｅｂサイト処理装置が、前記Ｗｅｂブラウザ処理装置にセッションＩＤ要求プログラム、ＷｅｂＡＰＩプログラム呼び出しプログラム及びページ生成プログラムを含むページを前記Ｗｅｂブラウザ処理装置に返し、前記Ｗｅｂブラウザ処理装置は、前記返されたページに含まれるＷｅｂＡＰＩプログラムを実行することにより、前記ＷｅｂＡＰＩプログラムの提供者の紹介者識別情報を前記広告仲介サービス処理装置に送信し、該広告仲介サービス処理装置がリクエストを受けると、セッションＩＤを生成し、貢献者記録を実施して該セッションＩＤを前記Ｗｅｂブラウザ処理装置に返し、前記Ｗｅｂブラウザ処理装置は、前記セッションＩＤと前記ＷｅｂＡＰＩプログラムの提供者の紹介者識別情報を前記広告仲介サービス処理装置に送信し、前記広告仲介サービス処理装置は、前記セッションＩＤが正しいものであることを確認し、前記セッションＩＤと前記ＷｅｂＡＰＩプログラムの提供者の紹介者識別情報を記録し、前記広告仲介サービス処理装置で前記セッションＩＤが正しいことを確認した場合には前記ＷｅｂＡＰＩプログラム処理装置は、前記ＷｅｂＡＰＩプログラムを実行して処理結果を前記Ｗｅｂブラウザ処理装置に送信し、前記Ｗｅｂブラウザ処理装置は、前記Ｗｅｂページを生成し、前記広告情報のリソースを前記広告仲介サービス処理装置に要求すると、前記広告仲介サービス処理装置では前記広告情報の要求があったことを前記セッションＩＤと関連付けて記録した後、前記広告情報のリソースを前記Ｗｅｂブラウザ処理装置に返し、該Ｗｅｂブラウザ処理装置では生成したＷｅｂページを表示する。
【手続補正１５】
【補正対象書類名】明細書
【補正対象項目名】００２６
【補正方法】変更
【補正の内容】
【００２６】
さらに、本発明の広告提供方法は、ネットワークで各々接続された、前記Ｗｅｂブラウザを稼動させるＷｅｂブラウザ処理装置と、前記Ｗｅｂサイトを稼動させるＷｅｂサイト処理装置と、前記ＷｅｂＡＰＩプログラムを稼動させるＷｅｂＡＰＩプログラム処理装置と、前記広告仲介サービスを稼動させる広告仲介サービス処理装置とを有し、前記Ｗｅｂブラウザ処理装置から前記Ｗｅｂページの要求を受けた前記Ｗｅｂサイト処理装置が、前記広告仲介サービス処理装置に前記Ｗｅｂサイトの運営者の紹介者識別情報を送信し、前記広告仲介サービス処理装置からセッションＩＤと広告識別情報を取得し、当該セッションＩＤを引数に含めてＷｅｂＡＰＩプログラムの呼び出しを前記広告仲介サービス処理装置に対して行い、前記広告仲介サービス処理装置は、前記セッションＩＤが正しいものであることを確認し、前記セッションＩＤと前記ＷｅｂＡＰＩプログラムの提供者の紹介者識別情報を記録し、ＷｅｂＡＰＩプログラム呼び出しを実施し、前記ＷｅｂＡＰＩ処理装置は、前記ＷｅｂＡＰＩプログラムを実行して該処理結果を前記広告仲介サービス処理装置に送信し、前記広告仲介サービス処理装置は、前記処理結果を前記Ｗｅｂサイト処理装置へ送信し、前記Ｗｅｂサイト処理装置では、前記処理結果及び前記広告仲介サービス処理装置が保持する広告情報のＵＲＬとセッションＩＤを用いて、前記広告情報のリソースを取得するためのＵＲＬにパラメータとして、前記セッションＩＤを含めたＷｅｂページを生成して前記Ｗｅｂブラウザ処理装置に返し、前記Ｗｅｂブラウザ処理装置が前記広告情報のリソースを前記広告仲介サービス処理装置に要求すると、前記広告仲介サービス処理装置では前記広告情報の要求があったことを前記セッションＩＤと関連付けて記録した後、前記広告情報のリソースを前記Ｗｅｂブラウザ処理装置に返し、該Ｗｅｂブラウザ処理装置では前記Ｗｅｂサイトが生成したＷｅｂページを表示する。
【手続補正１６】
【補正対象書類名】明細書
【補正対象項目名】００２７
【補正方法】変更
【補正の内容】
【００２７】
さらに、本発明の広告提供方法は、ネットワークで各々接続された、前記Ｗｅｂブラウザを稼動させるＷｅｂブラウザ処理装置と、前記Ｗｅｂサイトを稼動させるＷｅｂサイト処理装置と、前記ＷｅｂＡＰＩプログラムを稼動させるＷｅｂＡＰＩプログラム処理装置と、前記広告仲介サービスを稼動させる広告仲介サービス処理装置とを有し、前記Ｗｅｂブラウザから前記Ｗｅｂページの要求を受けた前記Ｗｅｂサイト処理装置が、前記広告仲介サービス処理装置にＷｅｂＡＰＩプログラムの呼び出しを実施し、前記広告仲介サービス処理装置は、セッションＩＤを生成し、前記ＷｅｂＡＰＩプログラムの提供者の紹介者識別情報を記録し、呼び出し先のＷｅｂＡＰＩプログラムの紹介者識別情報を貢献者としてセッションＩＤと共に記録し、当該セッションＩＤを引数に含めてＷｅｂＡＰＩプログラムの呼び出しを前記ＷｅｂＡＰＩ処理装置に対して行い、当該呼び出しを受けた前記ＷｅｂＡＰＩプログラム処理装置は、前記ＷｅｂＡＰＩプログラムを実行して該処理結果を前記広告仲介サービス処理装置に送信し、前記広告仲介サービス処理装置は、前記処理結果及び前記セッションＩＤを前記Ｗｅｂサイト処理装置へ送信し、前記Ｗｅｂサイト処理装置では、前記処理結果及び前記広告仲介サービス処理装置が保持する広告情報のＵＲＬと前記セッションＩＤを用いて、前記広告情報のリソースを取得するためのＵＲＬにパラメータとして、前記セッションＩＤを含めたＷｅｂページを生成してＷｅｂブラウザ処理装置に返し、前記Ｗｅｂブラウザ処理装置が前記広告情報のリソースを前記広告仲介サービス処理装置に要求すると、該広告仲介サービス処理装置では前記広告情報の要求があったことを前記セッションＩＤと関連付けて記録した後、前記広告情報のリソースを前記Ｗｅｂブラウザ処理装置に返し、該Ｗｅｂブラウザ処理装置では前記Ｗｅｂサイトが生成したＷｅｂページを表示する。
【手続補正１７】
【補正対象書類名】明細書
【補正対象項目名】００２８
【補正方法】変更
【補正の内容】
【００２８】
さらに、本発明の広告提供方法は、前記生成されたＷｅｂブラウザに表示した広告を、閲覧者が選択したときに、前記広告仲介サービス処理装置には、前記広告識別情報と前記セッションＩＤが到達し、前記広告仲介サービス処理装置では選択されたこととそのときの前記セッションＩＤを記録しておき、前記広告仲介サービス処理装置では前記広告識別情報に関連する事業者のＷｅｂサイト処理装置にリダイレクトすることで広告に対応するＷｅｂページを表示する。
【手続補正１８】
【補正対象書類名】明細書
【補正対象項目名】００２９
【補正方法】変更
【補正の内容】
【００２９】
さらに、本発明の広告提供方法は、前記広告仲介サービス処理装置に記録した広告情報の要求があったセッションＩＤを利用し、該セッションＩＤに関連付けた紹介者識別情報を抽出することで、広告を表示したＷｅｂページの生成に貢献したＷｅｂサイトの運営者及びＷｅｂＡＰＩプログラムの提供者を特定する。
【手続補正１９】
【補正対象書類名】明細書
【補正対象項目名】００３０
【補正方法】変更
【補正の内容】
【００３０】
さらに、本発明の広告提供方法は、前記広告仲介サービス処理装置に記録した広告が選択されたときのセッションＩＤを利用し、前記セッションＩＤに関連付けた紹介者識別情報を抽出することで広告が選択されたＷｅｂページの生成に貢献したＷｅｂサイトの運営者及びＷｅｂＡＰＩプログラムの提供者を特定する。
【手続補正２０】
【補正対象書類名】明細書
【補正対象項目名】００３１
【補正方法】変更
【補正の内容】
【００３１】
さらに、本発明の広告提供方法は、前記セッションＩＤに換え、Ｗｅｂサイトを一意に特定できるキーを用いて、Ｗｅｂサイト処理装置が利用したＷｅｂＡＰＩプログラムを特定し、前記Ｗｅｂサイト処理装置は、予めＷｅｂサイトを一意に識別できる前記キーを取得し、前記ＷｅｂＡＰＩプログラムを呼び出すときは前記キーを一緒に送信し、前記ＷｅｂＡＰＩプログラム処理装置は前記キーを前記広告仲介サービス処理装置に送信し、該広告仲介サービス処理装置では前記キーと前記キーを送信したＷｅｂＡＰＩプログラム処理装置を関連付けて保持し、前記Ｗｅｂサイト処理装置は、前記ＷｅｂＡＰＩプログラム処理装置の処理結果と広告を埋め込んだＷｅｂページを前記Ｗｅｂブラウザ処理装置に送信し、前記Ｗｅｂブラウザ処理装置から埋め込んだ前記広告情報の画像等を取得するときに用いるＵＲＬには、前記広告情報の画像等を前記広告仲介サービス処理装置から取得するときに、前記広告仲介サービス処理装置に前記キーが送信されるように、パラメータとして前記キーを付加しておき、前記広告がクリックされたときに遷移するＵＲＬにも、パラメータとして前記キーを付加しておき、前記Ｗｅｂブラウザに広告を表示したときや閲覧者が前記広告をクリックしたときに、前記広告仲介サービス処理装置に前記キーが送られるようにしておくことで、前記広告の閲覧状況を把握可能とし、その回数に応じてＷｅｂサイト毎の広告への貢献度、及び前記キーと前記ＷｅｂＡＰＩプログラムを関連付けて保持している情報に基づいてＷｅｂサイト毎に利用したＷｅｂＡＰＩプログラムとその回数を特定する。
【手続補正２１】
【補正対象書類名】明細書
【補正対象項目名】００３２
【補正方法】変更
【補正の内容】
【００３２】
さらに、本発明の広告提供方法は、前記Ｗｅｂサイト処理装置、前記ＷｅｂＡＰＩプログラム処理装置の少なくともの一つが前記ＷｅｂＡＰＩプログラムの呼び出しログを前記セッションＩＤ又は前記キーと共に保持し、前記ログを定期的に前記広告仲介サービス処理装置に送信し、該広告仲介サービス処理装置では、前記ログを解析することで前記Ｗｅｂサイト処理装置が利用したＷｅｂＡＰＩプログラムを特定する。
【手続補正２２】
【補正対象書類名】明細書
【補正対象項目名】００３３
【補正方法】変更
【補正の内容】
【００３３】
さらに、本発明の広告提供方法は、前記広告仲介サービス処理装置は、前記Ｗｅｂサイト処理装置と前記ＷｅｂＡＰＩプログラム処理装置の両方から前記ログを収集し、前記両方のログの内容を比較し、両者に前記ＷｅｂＡＰＩプログラムを呼び出した記述、あるいは呼び出された記述があったときにその呼び出しが確かであると判断する。
【手続補正２３】
【補正対象書類名】明細書
【補正対象項目名】００３４
【補正方法】変更
【補正の内容】
【００３４】
さらに、本発明の広告提供方法は、前記Ｗｅｂブラウザに広告情報が表示されたとき、あるいは広告情報がクリックされたときに発生する対価を前記ＷｅｂＡＰＩプログラムの提供者に分配する際、前記広告仲介サービス処理装置に前記セッションＩＤと関連付けて記録された前記広告情報の要求に基づいて前記対価を決定する。
【手続補正２４】
【補正対象書類名】明細書
【補正対象項目名】００３５
【補正方法】変更
【補正の内容】
【００３５】
さらに、本発明の広告提供方法は、前記Ｗｅｂブラウザに広告情報が表示されたとき、あるいは広告情報がクリックされたときに発生する対価を特定期間毎に前記ＷｅｂＡＰＩプログラム提供者に分配する際、前記広告仲介サービス処理装置に前記セッションＩＤと関連付けて記録された前記広告情報の要求に基づいて、前記特定期間内に前記Ｗｅｂサイトに発生した対価の総量と、前記Ｗｅｂサイトが利用した一つ又は複数のＷｅｂＡＰＩプログラムの回数を求め、各ＷｅｂＡＰＩプログラムの利用回数に応じて前記対価の総量を前記ＷｅｂＡＰＩプログラム提供者に分配する前記対価を決定する。
【手続補正２５】
【補正対象書類名】明細書
【補正対象項目名】００３６
【補正方法】変更
【補正の内容】
【００３６】
さらに、本発明の広告提供方法は、利用しているＷｅｂＡＰＩプログラムの種類に応じて表示する広告情報を選択する際、前記広告仲介サービス処理装置は、前記ＷｅｂＡＰＩプログラムと当該ＷｅｂＡＰＩプログラムに関連する一つ又は複数のキーワードを管理し、前記広告情報とその広告情報に関連するキーワードを管理し、前記広告仲介サービス処理装置が前記Ｗｅｂブラウザ処理装置から前記広告情報の要求を受け取ったときに、前記セッションＩＤを用いて利用したＷｅｂＡＰＩプログラムを特定し、又はＷｅｂサイトを特定するキーを用いて該Ｗｅｂサイトが良く利用しているＷｅｂＡＰＩプログラムを特定し、そのＷｅｂＡＰＩプログラムに関連する前記キーワードを取得し、そのキーワードを同じキーワードを含む広告情報を選択することで、利用しているＷｅｂＡＰＩプログラムの種類に応じた広告をＷｅｂブラウザに提供する。
【手続補正２６】
【補正対象書類名】明細書
【補正対象項目名】００３７
【補正方法】変更
【補正の内容】
【００３７】
さらに、本発明の広告提供方法は、特定期間に発生した前記Ｗｅｂブラウザからのリクエストに対するＷｅｂＡＰＩプログラムの使用量を計測し、その計測結果に従って、前記ＷｅｂＡＰＩプログラムに分配する広告貢献の対価を決定する。